(57)【要約】【課題】被記録媒体が媒体受け面上に確実に排出される媒体排出装置およびこの媒体排出装置を備えた記録装置を提供する。【解決手段】シートＳＴを被記録面ＳＰと反対側の面に当接することで支持するとともに水平に対して傾斜角αで傾斜する媒体支持面５２が設けられ、シートを媒体支持面に沿って重力方向側に排出する排出部１５と、排出部から重力方向側に離れた位置に設けられた媒体受け面８２により排出部から排出されるシートを受ける媒体受け部１８と、を備え、排出部から排出されたシートが、その排出方向の先端縁を媒体受け面に接触させたのち、被記録面と媒体受け面とが対向する状態に湾曲して媒体受け面上に排出される被記録媒体排出装置１００であって、排出部に設けられる媒体支持面の傾斜角を水平に対して相対的に大きく傾斜した傾斜角αと水平に対して相対的に小さく傾斜した傾斜角との間で変更する媒体支持面変更手段１７を備える。【選択図】図１
2013071822.tif 000002
【特許請求の範囲】
【請求項１】
排出される被記録媒体を当該被記録媒体の被記録面とは反対側の面に当接することで支持するとともに水平に対して前記被記録媒体の排出方向の下流側が下方となるように傾斜する媒体支持面が設けられ、前記被記録媒体を前記媒体支持面に沿って重力方向側に排出する媒体排出部と、
前記媒体排出部から重力方向側に離れた位置に前記媒体支持面の延長線と交差するように設けられた媒体受け面により前記媒体排出部から排出される前記被記録媒体を受ける媒体受け部と、を備え、
前記媒体排出部から排出された前記被記録媒体が、その排出方向の先端縁を前記媒体受け面に接触させたのち、前記被記録面と前記媒体受け面とが対向する状態に湾曲して前記媒体受け面上に排出される被記録媒体排出装置であって、
前記媒体排出部に設けられる前記媒体支持面の傾斜角を水平に対して傾斜した第１傾斜角と、水平に対して前記第１傾斜角よりも小さく傾斜した第２傾斜角との間で変更する媒体支持面変更手段を備えることを特徴とする被記録媒体排出装置。
【請求項２】
請求項１に記載の被記録媒体排出装置において、
前記媒体受け面は、水平に対して前記媒体支持面が傾斜する方向と反対方向に第３傾斜角で傾斜することを特徴とする被記録媒体排出装置。
【請求項３】
請求項２に記載の被記録媒体排出装置において、
前記媒体支持面の前記第１傾斜角と前記媒体受け面の前記第３傾斜角とを加算した角度は、９０度より大きい角度であり、前記媒体支持面の前記第２傾斜角と前記媒体受け面の前記第３傾斜角とを加算した角度は、９０度より小さい角度であることを特徴とする被記録媒体排出装置。
【請求項４】
請求項１ないし３のいずれか一項に記載の被記録媒体排出装置において、
前記媒体支持面変更手段は、前記被記録媒体の曲げ剛性に応じて前記媒体支持面の傾斜角を変更することを特徴とする被記録媒体排出装置。
【請求項５】
請求項１ないし４のいずれか一項に記載の被記録媒体排出装置において、
前記第２傾斜角の媒体支持面の排出方向側端部と前記媒体受け面との間の重力方向に沿う距離は、前記第１傾斜角の媒体支持面の排出方向側端部と前記媒体受け面との間の重力方向に沿う距離以上であることを特徴とする被記録媒体排出装置。
【請求項６】
被記録媒体に対して媒体排出部から排出される前に前記被記録媒体の被記録面に液体を噴射して記録を施す記録部と、
請求項１ないし５のいずれか一項に記載の被記録媒体排出装置と、
を備える記録装置。
【発明の詳細な説明】
【技術分野】
【０００１】
本発明は、記録が施される被記録媒体を排出する被記録媒体排出装置およびこの被記録媒体排出装置を備えた記録装置に関する。
【背景技術】
【０００２】
従来から、記録装置の一種として、ロール状に巻かれた状態から巻き出されて記録部を通過するように搬送される被記録媒体に対して、記録部に備えられた記録ヘッドから液体を噴射して記録を施したのち、その被記録媒体を所定の長さに切断して排出するインクジェット式のプリンターが広く知られている。この種のプリンターは、例えば特許文献１に開示されているように、通常、大型プリンターであり、鉛直方向上側に被記録媒体に対して記録を施す印刷部（記録部）を有するプリンター本体（装置本体）と、その下側に装置本体と離れて配設された排紙スタック部（媒体受け面）とを備えている。
【０００３】
このような大型プリンターでは、同じく特許文献１に開示されたように、作業性や水平方向における省スペース化のため、装置本体において搬送される被記録媒体の搬送方向を水平方向に対して傾斜させるとともに、搬送方向の下流側において記録後の被記録媒体を媒体受け面に向けて排出する媒体支持面が、搬送方向と同様に傾斜して設けられている。そして、記録が施された後に切断された被記録媒体については、傾斜する媒体支持面に沿って移動（落下）させることにより装置本体から排出する際に、その排出方向の先端縁を、媒体受け面によって接触して受け止めるとともに、その被記録媒体において記録が施された被記録面を媒体受け面と対向させるように湾曲させている。この湾曲によって被記録媒体の排出方向の先端縁は媒体受け面との接触角が小さな鋭角となり、媒体受け面に沿って移動して、被記録面が下側になるフェイスダウン状態で媒体受け面上に排出される。
【先行技術文献】
【特許文献】
【０００４】
【特許文献１】特開２０００−７１５３５号公報
【発明の概要】
【発明が解決しようとする課題】
【０００５】
しかしながら、特許文献１に開示された大型プリンターにおいて、排出された被記録媒体の排出方向の先端縁が媒体受け面と接触する際の接触角が直角に近い角度である場合は、被記録媒体の排出方向の先端縁が媒体受け面に沿って円滑に移動しない状態が発生する。このため、切断された被記録媒体が媒体受け面上に折り重なった状態となって媒体受け面を塞いでしまうことが起こり得る。すると、続いて記録が施された被記録媒体が、先に排出された被記録媒体によって塞がれた媒体受け面を移動できなくなり、ひいては記録部において適切に搬送されない状態となって記録が正しく行われなくなってしまう。
【０００６】
本発明は、上記課題を解決するためになされたものであり、その主な目的は被記録媒体が媒体受け面上に適切に排出される媒体排出装置およびこの媒体排出装置を備えた記録装置を提供することにある。
【課題を解決するための手段】
【０００７】
上記目的を達成するために、本発明の被記録媒体排出装置は、排出される被記録媒体を当該被記録媒体の被記録面とは反対側の面に当接することで支持するとともに水平に対して前記被記録媒体の排出方向の下流側が下方となるように傾斜する媒体支持面が設けられ、前記被記録媒体を前記媒体支持面に沿って重力方向側に排出する媒体排出部と、前記媒体排出部から重力方向側に離れた位置に前記媒体支持面の延長線と交差するように設けられた媒体受け面により前記媒体排出部から排出される前記被記録媒体を受ける媒体受け部と、を備え、前記媒体排出部から排出された前記被記録媒体が、その排出方向の先端縁を前記媒体受け面に接触させたのち、前記被記録面と前記媒体受け面とが対向する状態に湾曲して前記媒体受け面上に排出される被記録媒体排出装置であって、前記媒体排出部に設けられる前記媒体支持面の傾斜角を水平に対して傾斜した第１傾斜角と、水平に対して前記第１傾斜角よりも小さく傾斜した第２傾斜角との間で変更する媒体支持面変更手段を備える。
【０００８】
この構成によれば、媒体支持面の傾斜角を変更すると、媒体支持面に沿って媒体排出部から排出される被記録媒体の排出方向が変更される。すると、基端側が媒体支持面に支持されつつ先端側が媒体排出部から突出した状態にある排出途中の被記録媒体に対して、その被記録媒体を被記録面と前記媒体受け面とが対向する状態に湾曲させるように作用する曲げ力を変更することができる。例えば、媒体支持面の傾斜角を第１傾斜角から第２傾斜角に変更した場合には、被記録媒体の排出方向が水平方向に近づく方向に変更される。すると、媒体排出部から排出途中の被記録媒体に対して湾曲させるように作用する曲げ力が大きくなる方向に変更される。その結果、そのように変更した曲げ力によって被記録媒体は被記録面側が凸面となるように確実に湾曲させられ、媒体受け面に接触した被記録媒体の排出方向の先端縁と媒体受け面とがなす内角すなわち接触角が容易に小さい角度となる。これにより、排出方向の先端縁が媒体受け面に接触したあとの被記録媒体は、その排出方向の先端縁が媒体受け面に沿って円滑に移動して被記録面を媒体受け面に対向させた状態で媒体受け面上に適切に排出される。
【０００９】
本発明の被記録媒体排出装置において、前記媒体受け面は、水平に対して前記媒体支持面が傾斜する方向と反対方向に第３傾斜角で傾斜する。
この構成によれば、媒体排出部から排出された被記録媒体は、その排出方向の先端縁が媒体受け面に接触したあと、媒体受け面に沿って重力方向に移動しやすくなる。この結果、被記録面が媒体受け面と対向する状態つまりフェイスダウン状態で適切に媒体受け面上に排出される。
【００１０】
本発明の被記録媒体排出装置において、前記媒体支持面の前記第１傾斜角と前記媒体受け面の前記第３傾斜角とを加算した角度は、９０度より大きい角度であり、前記媒体支持面の前記第２傾斜角と前記媒体受け面の前記第３傾斜角とを加算した角度は、９０度より小さい角度である。
【００１１】
この構成によれば、第１傾斜角の媒体支持面に沿って排出された被記録媒体は、その被記録媒体において媒体受け面に接触する排出方向の先端縁と媒体受け面とがなす内角すなわち接触角が鋭角となるので、媒体受け面に接触したあとの被記録媒体の排出方向先端部が媒体受け面に沿って移動し易くなる。一方、第２傾斜角の媒体支持面に沿って排出された後に媒体受け面に接触した被記録媒体に対しては、被記録媒体を被記録面側が凸面となるように湾曲させる力を作用させるので、被記録媒体は確実に湾曲して媒体受け面との接触角が容易に小さくなる。
【００１２】
本発明の被記録媒体排出装置において、前記媒体支持面変更手段は、前記被記録媒体の曲げ剛性に応じて前記媒体支持面の傾斜角を変更する。
この構成によれば、被記録媒体の曲げ剛性すなわち腰の強さが異なる各種の被記録媒体を、適切に媒体受け面上に排出できる。
【００１３】
本発明の被記録媒体排出装置において、前記第２傾斜角の媒体支持面の排出方向側端部と前記媒体受け面との間の重力方向に沿う距離は、前記第１傾斜角の媒体支持面の排出方向側端部と前記媒体受け面との間の重力方向に沿う距離以上である。
【００１４】
この構成によれば、第２傾斜角の媒体支持面に沿って排出される被記録媒体に対して、第１傾斜角の媒体支持面に沿って排出される被記録媒体よりも大きな曲げ力を作用させることができる。
【００１５】
本発明の記録装置は、被記録媒体に対して媒体排出部から排出される前に前記被記録媒体の被記録面に液体を噴射して記録を施す記録部と、上記構成の被記録媒体排出装置と、を備える。
【００１６】
この構成によれば、被記録面に記録が施された被記録媒体の排出方向を変更することによって媒体受け面に接触した被記録媒体に対して当該被記録媒体を被記録面と前記媒体受け面とが対向する状態に湾曲させるように作用する曲げ力を変更することができる。そして変更した曲げ力によって被記録媒体を確実に湾曲させ、媒体受け面に接触した被記録媒体の排出方向先端部と媒体受け面とがなす内角すなわち接触角を鋭角にすることができる。この結果、媒体受け面に接触したあとの被記録媒体が、その排出方向先端部が媒体受け面に沿って移動して被記録面を媒体受け面に対向させた状態で適切に媒体受け面上に排出される記録装置を提供できる。
【図面の簡単な説明】
【００１７】
【図１】本発明に係る実施形態の記録装置の概略構成を一部断面で示す側面図。
【図２】実施形態の被記録媒体排出装置において、媒体支持面の傾斜が緩やかになるように変更した状態を示す側面図。
【図３】剛性の高いシートが傾斜角変更前の媒体支持面に沿って排出される図で、（ａ）はシートの先端縁が媒体受け面に接触した直後の状態図、（ｂ）は（ａ）の状態から更にシートが排出された状態図、（ｃ）はシートが切断されカットシートとなって排出される状態図。
【図４】剛性の低いシートが傾斜角変更前の媒体支持面に沿って排出される図で、（ａ）はシートの先端縁がシート受け面に接触した直後の状態図、（ｂ）は（ａ）の状態から更にシートが排出された状態図、（ｃ）はシートが切断されカットシートとなって排出される状態図。
【図５】剛性の低いシートが傾斜角変更後の傾斜の緩い媒体支持面に沿って排出される図で、（ａ）はシートの先端縁がシート受け面に接触した直後の状態図、（ｂ）は（ａ）の状態から更にシートが排出された状態図、（ｃ）はシートが切断されカットシートとなって排出される状態図。
【図６】変形例の媒体支持面変更手段の概略構造図。
【発明を実施するための形態】
【００１８】
以下、本発明を具体化した一実施形態である、液体の一例としてのインクを噴射する液体噴射ヘッドを記録ヘッドとして有し、ロール状に巻かれたロール紙から給送される長尺の被記録媒体としてのシート（例えば用紙）の被記録面に対して、記録ヘッドからインクを噴射して画像を記録する記録装置について、図を参照して説明する。なお、以降の説明を容易にするため、図１に示したように、反重力方向を上方向、重力方向を下方向とする。また、これと交差する方向であって、画像が記録されるシートＳＴに対して、記録ヘッド４２が位置する側の方向を前方向、その反対方向を後方向とする。さらに上下方向および前後方向の双方と交差する方向であってシートＳＴの幅方向を、前方から見て、それぞれ右方向、左方向とする。
【００１９】
図１に示すように、記録装置１１は、シートＳＴの被記録面ＳＰに記録を施したのちシートＳＴを切断してカットシートＣＳ（図３（ｃ）参照）として排出する装置本体部１２と、その重力方向となる下方に、排出されるカットシートＣＳを被記録面ＳＰを下側にして積み重ねた状態で受ける（スタックする）媒体受け部１８と、を備えている。装置本体部１２はシートＳＴの排出方向と交差するシートＳＴの幅方向を長手方向とした略直方体形状を有し、装置本体部１２の長手方向の両側端部に設けられた板状の結合部材１９によって媒体受け部１８と連結固定されている。なお、図１では装置本体部１２について一部断面で示している。
【００２０】
まず装置本体部１２について説明する。装置本体部１２は、複数の部材で構成されたケース体２１で構成され、長尺のシートＳＴを収容した媒体収容部１３、シートＳＴに記録を施す記録部１４、シートＳＴを装置本体部１２から媒体受け部１８へ向けて排出する媒体排出部としての排出部１５を備える。また、シートＳＴの排出方向を変更する媒体支持面変更手段１７、および排出されるシートＳＴを切断する切断手段１６を備える。
【００２１】
媒体収容部１３は、回転軸３２を中心に回動するカバー部材３１によって開蓋および閉蓋される収容空間を有し、この収容空間にロール状に巻かれてロール体ＲＴとされた長尺のシートＳＴを収容する。なお、ロール体ＲＴを交換したり収容空間に収容したりする際には、カバー部材３１を図中実線で示した閉蓋状態から図中二点鎖線で示した開蓋状態に回転させる。
【００２２】
記録部１４は、シートＳＴに対して被記録面ＳＰ側の方向（前方向）に位置し、不図示の駆動手段（モーターなど）によってシートＳＴの幅方向となる装置本体部１２の長手方向に往復移動するキャリッジ４１を備えている。キャリッジ４１には、シートＳＴの被記録面ＳＰと対向する位置に記録ヘッド４２が設けられている。また、図示しないが、記録装置１１はシートＳＴを記録ヘッド４２とは反対側（後方側）から支持する支持台やシートＳＴを搬送する搬送ローラーを備え、シートＳＴを搬送方向下流側となる排出部１５側へ搬送するとともに、往復移動するキャリッジ４１の記録ヘッド４２からシートＳＴの被記録面ＳＰにインクを噴射してシートＳＴに記録を施す。
【００２３】
排出部１５は、記録部１４から搬送されるシートＳＴを被記録面ＳＰとは反対側の面に当接することで支持する媒体支持面５１が形成された支持面形成部材５１ｍと、この媒体支持面５１とシートＳＴの搬送方向下流側に繋がる媒体支持面５２が形成された支持面形成部材５２ｍと、を有している。媒体支持面５１，５２は、装置本体部１２の長手方向沿う平面であってシートＳＴの幅寸法よりも広い幅を有している。そして、媒体支持面５２は、水平から所定の傾斜角α（第１傾斜角）で傾いた前方下がりの傾斜面になっている。ちなみに、本実施形態ではα＝６０度である。また、支持面形成部材５１ｍは、支持面形成部材５２ｍに対して記録部１４側すなわちシートＳＴの搬送方向上流側に設けられ、媒体支持面５１は媒体支持面５２よりも水平方向に近い傾斜角の傾斜面とされている。
【００２４】
シートＳＴは、媒体支持面５１に支持されて媒体支持面５２へ移動した後、媒体支持面５２における排出方向側端部となる傾斜方向の下端５２ａから、装置本体部１２の下方（重力方向側）に位置する媒体受け部１８に向けて排出される。なお、媒体支持面５１と媒体支持面５２との繋ぎ目は、媒体支持面５２に垂直となる方向において媒体支持面５１が前側になる段差５３が形成されている。
【００２５】
装置本体部１２における媒体支持面５１，５２の左右両端となる位置には、前後上下方向に延設されたケース側壁２２（図１では左側のみ図示）が装置本体部１２のケース体２１の一部材として配設されている。従って、媒体支持面５１，５２の前方は、ケース体２１で覆われない大気開放された開放空間となっている。
【００２６】
媒体支持面変更手段１７は、この媒体支持面５１，５２の前方の開放空間に位置するように配設されている。そして、媒体支持面変更手段１７は、媒体支持面５２に垂直となる方向へのスライド移動可能に設けられた移動体７１と、その移動体７１に固定され、シートＳＴを支持する媒体支持面７２が形成された支持面形成部材７２ｍと、ケース側壁２２に固定され、移動体７１がスライド移動する際にその移動を案内する案内部材２５と、を備えている。移動体７１には、排出部１５とは反対側に、移動体７１をスライド移動させる際に把持する把持部７３が形成され、その排出部１５側に、案内部材２５と係合する係合部７５が形成されている。そして、係合部７５が案内部材２５と係合状態を保ちながら摺動することによって、移動体７１は排出部１５の媒体支持面５２に対して近づくように前方上側から後方下側（図中白抜き矢印で示す方向）にスライド移動する。なお、媒体支持面７２は媒体支持面５２と同様に長手方向に沿う平面であって、水平から傾いた前方下がりの傾斜面である。
【００２７】
切断手段１６は、記録部１４と排出部１５との間に設けられ、不図示の駆動手段によって回転されるとともに、シートＳＴの幅方向に移動する回転カッター６１を備えている。この回転カッター６１が、シートＳＴの厚さ方向に切り込みを入れつつシートＳＴの幅方向に移動することによってシートＳＴを切断して、シートＳＴを所定長さのシートすなわちカットシートＣＳに切り分ける。
【００２８】
装置本体部１２では、媒体収容部１３が装置本体部１２の上方後側に配設され、排出部１５が装置本体部１２の下方前側に配設されている。そして、ロール体ＲＴから巻きだされたシートＳＴは、記録部１４に設けられた搬送ローラーを含め、装置本体部１２内に形成された不図示の搬送手段によって、斜め上方後側から斜め下方前側に移動して排出部１５に搬送される。この斜め方向に搬送されるシートＳＴの被記録面ＳＰに記録部１４において記録が施されたのち、搬送方向の下流側に搬送されて排出部１５から排出されたシートＳＴは、その排出途中において切断手段１６によって所定の長さに切断され、カットシートＣＳとなって排出部１５から排出される。
【００２９】
次に媒体受け部１８について説明する。媒体受け部１８は、装置本体部１２の下方に設けられ、装置本体部１２と結合部材１９を介して連結された基台部８１と、装置本体部１２の排出部１５から排出されたシートＳＴ（及びカットシートＣＳ）を受けるための受け面形成部材８２ｍ，８３ｍとを有している。各受け面形成部材８２ｍ，８３ｍは、基台部８１によってその前後方向の両端縁がそれぞれ固定されることによって、基台部８１において装置本体部１２に対して近い後側に媒体受け面８２を、遠い前側に媒体受け面８３をそれぞれ形成する。なお、後側の媒体受け面８２は、排出部１５から下方へ離れた位置に、排出部１５における排出方向側の媒体支持面５２の延長線と交差するように設けられる。本実施形態では、媒体受け面８２，８３を形成する受け面形成部材８２ｍ，８３ｍは、布などのシート材料で形成される。また、受け面形成部材８２ｍと受け面形成部材８３ｍとは、材料が繋がった一枚のシート材料で形成されていてもよい。
【００３０】
受け面形成部材８２ｍは、その後端縁が基台部８１に固定された固定部材８６の後端部８６ａによって左右方向に沿った直線状に固定され、その前端縁が基台部８１の前端部の左右両側から上方に向けて立設された一対の支柱部材８１ｂの上部間に架設された棒状部材８５によって左右方向に沿った直線状に固定される。そして、受け面形成部材８２ｍは、その前端縁および後端縁がそれぞれ離れる方向に張力が加えられ、全体が張られた状態になっている。また、棒状部材８５は固定部材８６の後端部８６ａよりも上方に位置するように配設されている。この結果、媒体受け面８２は、ほぼ平坦面であって、水平から傾斜角β（第３傾斜角）で傾いた後方下がりの傾斜面とされている。従って、媒体受け面８２は、水平から前方下がりの傾斜面である装置本体部１２の媒体支持面５２とは逆の方向に傾斜する傾斜面である。なお、本実施形態では、媒体受け面８２の傾斜角βは、これに媒体支持面５２の傾斜角αを加算した角度が９０度よりも大きい鈍角になる角度で設定されている。
【００３１】
このように張られて平坦面になっている媒体受け面８２の途中には、シートＳＴが媒体受け面８２に沿う後方に向けて移動するのを規制する規制部８４が設けられている。規制部８４は、基台部８１を構成する固定部材８１ａに一方の端部８８ａが固定された規制部材８８によって形成される。本実施形態では、規制部材８８はワイヤー部材であり、その一部が規制部８４として機能する構成とされている。
【００３２】
また、受け面形成部材８３ｍは、その前端縁が基台部８１に固定されたアーム状の固定部材８７の前端部８７ａによって、左右方向に沿った直線状に固定され、その後端縁が基台部８１の両支柱部材８１ｂの上部間に架設された棒状部材８５によって左右方向に沿った直線状に固定される。そして、固定部材８７の前端部８７ａと棒状部材８５とは、受け面形成部材８３ｍが撓んだ状態になるように所定の間隔を有して配置されることによって、媒体受け面８３は下側に湾曲した凹面形状になっている。
【００３３】
このように受け面形成部材８２ｍ，８３ｍが固定された媒体受け部１８は、媒体受け面８２と媒体受け面８３とによって、媒体支持面５２に沿って排出部１５から排出されたシートＳＴ（カットシートＣＳ）を、被記録面ＳＰを媒体受け面８２，８３と対向する下側（フェイスダウン）にしてスタックする。このため、媒体受け面８２，８３は、左右方向における幅寸法がシートＳＴ（カットシートＣＳ）の幅寸法よりも大きく設定されている。また、排出部１５からの排出方向を媒体支持面５２に沿う方向に維持したままシートＳＴが排出されても、シートＳＴにおける排出方向の先端縁ＳＦが媒体受け面８２に接触するように、棒状部材８５は、排出部１５の媒体支持面５２の延長面から媒体支持面５２に垂直な方向において記録部１４側へ寸法Ｌ１だけ離れて配置されている。
【００３４】
このように、媒体受け部１８は排出部１５から排出されるシートＳＴを受けてスタックする機能を有することから、排出部１５との間で被記録媒体排出装置１００を構成する。なお、媒体受け部１８の基台部８１は、記録装置１１の全体の基台としても機能する。
【００３５】
さて、このような被記録媒体排出装置１００を備える記録装置１１は、媒体支持面変更手段１７によって、排出部１５から排出されるシートＳＴの排出方向を、媒体支持面５２に沿う方向から異なる方向へ変更可能である。すなわち、図１に示すように、媒体支持面変更手段１７において記録装置１１の使用者が把持部７３を把持して移動体７１を排出部１５における媒体支持面５２側（図中白抜き矢印方向）に押し込んでスライド移動させる。
【００３６】
移動体７１がスライド移動した状態を、図２を参照して説明する。図２に示すように、媒体支持面７２が形成された支持面形成部材７２ｍを固定した移動体７１が媒体支持面５２側にスライド移動すると、媒体支持面７２の傾斜方向の上端７２ｂが、媒体支持面５１と媒体支持面５２との間の段差５３内に位置するように挿入される。このため、上方に位置する記録部１４側から下方に位置する排出部１５側に搬送されて移動するシートＳＴは、媒体支持面５１に続いて媒体支持面７２によって被記録面ＳＰの反対側の面が支持される。従って、排出部１５から排出されるシートＳＴは、媒体支持面７２の排出方向側端部である傾斜方向の下端７２ａから、媒体支持面７２に沿う方向を排出方向として排出される。
【００３７】
前述するように媒体支持面７２は媒体支持面５２と同様に装置本体部１２の長手方向（左右方向）に沿う平面である。そして、本実施形態では、媒体支持面７２は、水平からの傾斜角が媒体支持面５２の傾斜角αよりも水平に近い緩やかな前方下がりの傾斜角γ（第２傾斜角）になっている。なお、本実施形態では、媒体支持面７２の傾斜角γは、媒体受け面８２の傾斜角βを加算した値が９０度よりも小さい鋭角になる角度で設定されている。ちなみに、本実施形態ではγ＝５度である。
【００３８】
従って、記録装置１１では、シートＳＴの排出方向が、媒体支持面変更手段１７によって水平に近い方向へ変更される。もとより、移動体７１はスライド移動によって媒体支持面５２から離れる方向つまり後方から前方への移動が可能であり、この前方への移動によって、媒体支持面７２が前方に移動するため、排出部１５において再び媒体支持面５１に続いて媒体支持面５２がシートＳＴを支持する状態になる。
【００３９】
なお、記録装置１１において、図１に示すように、媒体支持面５２の下端５２ａと媒体受け面８２との間は、鉛直方向において距離Ｌａ離れている。また、図２に示すように、媒体支持面７２の下端７２ａと媒体受け面８２との間は、鉛直方向において距離Ｌｂ離れている。そして本実施形態では、距離Ｌａと距離Ｌｂとは、ほぼ等しい寸法に設定されている。
【００４０】
本実施形態の記録装置１１では、シートＳＴは剛性の異なる複数種のシートＳＴが用いられる。そして、用いられるシートＳＴの剛性に応じて、そのシートＳＴを排出させる際に使用する媒体支持面を、使用者が媒体支持面変更手段１７により媒体支持面５２から媒体支持面７２へ、またはその逆に、媒体支持面７２から媒体支持面５２へ変更する。この変更によって被記録媒体排出装置１００におけるシートＳＴの排出時の作用が異なる。以下この異なる作用について説明する。
【００４１】
最初に、被記録媒体排出装置１００において、比較的剛性の高いシートＳＴが媒体支持面５２に沿って排出部１５から排出される場合の作用について、図３（ａ），（ｂ），（ｃ）を参照して説明する。
【００４２】
図３（ａ）に示すように、記録部１４によって被記録面ＳＰに記録が施されて搬送されたシートＳＴは、この搬送に伴って媒体支持面５２に沿う方向（図中白抜き矢印Ｈ１）を排出方向として排出部１５から排出される。そして、排出方向先端側の所定の長さが排出された時点で、シートＳＴの排出方向の先端縁ＳＦが媒体受け面８２に接触する。この接触状態では、シートＳＴは媒体収容部１３においてロール体ＲＴとされていたために、シートＳＴの剛性によって巻き癖が残り、媒体支持面５２の下端５２ａの近傍から先端縁ＳＦまでの先端部分において被記録面ＳＰ側が凸面となるように曲がった湾曲部Ｒ１を形成する。
【００４３】
この状態から、さらにシートＳＴが排出部１５から媒体支持面５２に沿って（図中白抜き矢印Ｈ１）排出されると、先に排出されたシートＳＴにおける先端縁ＳＦ側の部分に対して後から続けて排出されるシートＳＴの部分が排出方向に力を加える。このとき、本実施形態では、媒体受け面８２と接触したシートＳＴの先端縁ＳＦにおいて、シートＳＴと媒体受け面８２とがなす内角すなわち接触角θが大きいため、媒体受け面８２と先端縁ＳＦとの間に作用する摩擦力によって、先端縁ＳＦは媒体受け面８２に接触した位置に留まるものとする。従って、排出方向に加わる力は、排出されたシートＳＴに対して、その先端縁ＳＦを支点にしてシートＳＴを回転させて湾曲させる曲げ力（図中矢印Ｆ１）として作用する。
【００４４】
すると、図３（ｂ）に示すように、この曲げ力の作用の結果、排出されたシートＳＴは先端部分が曲げられて湾曲部Ｒ１よりも小さい曲率半径の湾曲部Ｒ２が形成され、先端縁ＳＦにおいてシートＳＴと媒体受け面８２とがなす接触角θがさらに小さくなる。従って、先端縁ＳＦは媒体受け面８２と接触した位置から規制部８４側へ媒体受け面８２に沿って移動する状態になる。
【００４５】
またシートＳＴには、先端部分に湾曲部Ｒ２が形成されるのに伴って、媒体支持面５２の下端５２ａの近傍に、湾曲部Ｒ２と逆方向に曲がった湾曲部Ｒ３が形成される。この湾曲部Ｒ３は、シートＳＴの剛性が高いので、湾曲部Ｒ２よりも大きな曲率を有する。
【００４６】
この状態において、さらにシートＳＴが排出部１５から媒体支持面５２に沿って（図中白抜き矢印Ｈ１に沿って）排出されると、図３（ｃ）に示すように、シートＳＴの先端縁ＳＦが媒体受け面８２に沿って移動して規制部８４に当接した状態になる。この先端縁ＳＦの規制部８４への移動によって、湾曲部Ｒ２および湾曲部Ｒ３はそれぞれ曲がりが戻され、被記録面ＳＰ側を凸面とする全体に曲率半径が大きい湾曲部Ｒ４が形成された状態になる。
【００４７】
その後、シートＳＴは所定の長さが排出部１５から排出された時点で切断され、被記録面ＳＰに施された記録範囲に応じた長さのカットシートＣＳに切り分けられる。切り分けられたカットシートＣＳは、その先端縁ＳＦが媒体受け面８２における規制部８４と当接する一方、カットシートＣＳの後端縁ＳＥが媒体支持面５２（５１）に沿って移動する。この結果、カットシートＣＳに対して、その先端縁ＳＦを支点に、排出されたカットシートＣＳを反転するように回転させて曲げようとする曲げ力（図中矢印Ｆ２）が発生する。
【００４８】
そして、カットシートＣＳの後端縁ＳＥが装置本体部１２から排出部１５の開放空間に到達すると、後端縁ＳＥが媒体支持面５２（５１）に支持されない自由な状態になるため、図中矢印Ｆ２で示した曲げ力によってカットシートＣＳの後端縁ＳＥ近傍の後端部分は前方に移動させられる。従って、図中太い破線で示したように、カットシートＣＳの後端部分は被記録面ＳＰを下側にして媒体受け面８３に排出される。この結果、比較的剛性の高いシートＳＴは、傾斜角αの媒体支持面５２に沿って排出部１５から排出され、被記録面ＳＰを媒体受け面８２，８３と対向させて媒体受け部１８に排出される。
【００４９】
次に、被記録媒体排出装置１００において、比較的剛性の低いシートＳＴが、傾斜角αの媒体支持面５２に沿って排出部１５から排出される場合の作用について、図４（ａ），（ｂ），（ｃ）を参照して説明する。
【００５０】
図４（ａ）に示すように、記録部１４によって被記録面ＳＰに記録が施されたシートＳＴは、排出部１５から媒体支持面５２に沿って移動し（図中白抜き矢印Ｈ１）、排出方向先端側の所定の長さが排出された時点で、その先端縁ＳＦが媒体受け面８２に接触する。この接触状態では、シートＳＴは、その剛性が低いために媒体支持面５２の下端５２ａにおいて曲率半径の小さい湾曲部Ｒ５を形成して曲がった状態になる。そして湾曲部Ｒ５からシートＳＴの先端縁ＳＦ側の先端部分は、ロール体ＲＴとされていたときの巻き癖が残り難いことから殆ど曲がりのない平面状態で垂れ下がりながら鉛直方向に沿って下方に移動する（図中白抜き矢印Ｈ３）。そして、所定の長さが排出された時点で先端縁ＳＦが媒体受け面８２に接触する。
【００５１】
この接触によって形成される、シートＳＴの先端縁ＳＦにおけるシートＳＴと媒体受け面８２とがなす接触角θは、剛性の高いシートＳＴの場合よりも曲がりが少ない分大きくなる。従って、ここでも剛性の高いシートＳＴと同様、先端縁ＳＦは媒体受け面８２に接触した位置にそのまま留まるものとする。従って、その後に続けて排出部１５から媒体支持面５２に沿って排出されるシートＳＴの部分は、先に排出されたシートＳＴにおける先端縁ＳＦ側の部分に対して排出方向に力を加え、その先端縁ＳＦを支点にしてシートＳＴを回転させて湾曲させようとする曲げ力（図中矢印Ｆ３）を発生させる。
【００５２】
ところで、シートＳＴの先端部分は、剛性が低くかつ平面状態になっているため、こうした曲げ力（Ｆ３）が加わると、シートＳＴの幅方向（左右方向）に沿って凹凸が生じた状態（波打ち状態）になりやすい。従って、この矢印Ｆ３で示す曲げ力が作用する剛性の低いシートＳＴは、その先端部分が幅方向の波打ち状態によって排出方向（上下方向）における曲がりが発生し難くなり平面状態のまま回転する。従って、この曲げ力の作用の結果、シートＳＴは、湾曲部Ｒ５が形成されていた部分が、排出部１５から媒体支持面５２に沿って排出されるシートＳＴによって前方に押し出されるように先端縁ＳＦを支点に回転する。
【００５３】
この回転により、シートＳＴは、図４（ｂ）に示すように、太い破線で示した形状から太い実線で示した形状に変位する。すなわち、湾曲部Ｒ５が前方に押し出されて湾曲部Ｒ５よりも小さい曲率半径の湾曲部Ｒ５ａとして形成される。同時に、媒体支持面５２の下端５２ａの近傍には、この湾曲部Ｒ５の前方への移動方向とシートＳＴの排出方向との方向の差異に起因して、湾曲部Ｒ５ａと逆方向に曲がる湾曲部Ｒ６が形成される。また、この回転により、シートＳＴの先端縁ＳＦにおける接触角θが小さくなるので、シートＳＴの先端縁ＳＦは媒体受け面８２に沿って規制部８４に向かって移動する状態となる（図中白抜き矢印Ｈ２）。
【００５４】
この状態において、さらにシートＳＴが排出部１５から媒体支持面５２に沿って（図中白抜き矢印Ｈ１）排出されると、図４（ｃ）に示すように、シートＳＴは、太い破線で示した形状から太い実線で示した形状に変位する。すなわち、シートＳＴの先端縁ＳＦが媒体受け面８２に沿って規制部８４に当接するべく移動する。この先端縁ＳＦの後方への移動に伴って、前方に押し出されて形成された湾曲部Ｒ５ａは後方へ移動しようとするが、湾曲部Ｒ５ａと逆方向に曲がる湾曲部Ｒ６によってその移動が抑制され、逆に、その形成位置を、シートＳＴの排出に伴って先端縁ＳＦとは反対側に移動させられる。このため湾曲部Ｒ５ａは、曲率半径のさらに小さい湾曲部Ｒ５ｂとなって、媒体受け面８２の前方に形成された状態になる。同時に、逆方向に曲がる湾曲部Ｒ６に対しても、排出部１５から媒体支持面５２に沿ってさらに排出されるシートＳＴの部分によって曲げ力が加わるために、湾曲部Ｒ６は後端縁ＳＥ側の排出方向に沿って下側に押し下げられ、さらに曲率半径の小さい湾曲部Ｒ６ａが形成される。つまり、シートＳＴは先端縁ＳＦに連なる部分が複数の小さい湾曲部Ｒ５ｂ，Ｒ６ａを介して曲げられることにより折り重なった状態になる。
【００５５】
その後、シートＳＴは所定の長さが排出部１５から排出された時点で切断され、被記録面に施された記録範囲に応じた長さのカットシートＣＳに切り分けられる。切り分けられたカットシートＣＳは、媒体支持面５２に沿って移動する後端縁ＳＥおよびその近傍部分である後端部分が、媒体支持面５２の下端５２ａから離れて支持されない状態になると、カットシートＣＳの後端部分が下方（重力方向）に落下する。このため、図中矢印Ｆ４で示したようにカットシートＣＳの後端部分を後方に移動させる方向の力がカットシートＣＳに対して作用する。この結果、剛性の低いカットシートＣＳは、後端部分が媒体受け面８３に排出されず、媒体受け面８２に被記録面ＳＰの後端側を上側にして折り重なった不適切な姿勢で排出される。
【００５６】
そこで、本実施形態では、剛性の低いシートＳＴが用いられる場合、被記録媒体排出装置１００の媒体支持面変更手段１７において、移動体７１をスライド移動させ、排出部１５からシートＳＴを排出させる媒体支持面を、媒体支持面５２から媒体支持面７２に変更することによって、シートＳＴを傾斜角γの媒体支持面に沿って排出させる。以下、比較的剛性の低いシートＳＴが媒体支持面７２に沿って排出される場合の作用について、図５（ａ），（ｂ），（ｃ）を参照して説明する。
【００５７】
図５（ａ）に示すように、記録部１４によって被記録面ＳＰに記録が施されたシートＳＴは、排出部１５から媒体支持面７２に沿って（図中白抜き矢印Ｈ１）移動し、排出方向先端側の所定の長さが排出された時点で、その先端縁ＳＦが媒体受け面８２に接触する。この接触状態では、シートＳＴは、その剛性が低いために媒体支持面７２の下端７２ａにおいて小さな曲率半径で曲がった湾曲部Ｒ５になる。そして、シートＳＴの先端縁ＳＦ側はロール体ＲＴとされていたときの巻き癖が残らない殆ど曲がりのない平面状態で垂れ下がりながら鉛直方向に沿って下方に移動して（図中白抜き矢印Ｈ３）、シートＳＴの先端縁ＳＦが媒体受け面８２に接触する。
【００５８】
この接触によって形成される、シートＳＴの先端縁ＳＦにおけるシートＳＴと媒体受け面８２とがなす接触角θは、図４（ａ）での説明と同様に大きく、先端縁ＳＦは媒体受け面８２に接触した位置にそのまま留まるものとする。従って、その後に続けて排出部１５から媒体支持面７２に沿って排出されるシートＳＴの部分は、先に排出されたシートＳＴにおける先端縁ＳＦ側の部分に対して排出方向に力を加え、その先端縁ＳＦを支点にしてシートＳＴを回転させて曲げようとする曲げ力（図中矢印Ｆ５）を発生させる。なお、この矢印Ｆ５で示す曲げ力が作用する剛性の低いシートＳＴは、同じく図４（ａ）における説明と同様、その先端部分が曲がることなく平面状態で回転する。
【００５９】
このとき、媒体支持面７２の傾斜角γは媒体支持面５２の傾斜角αよりも水平方向に近く、また距離Ｌａ＝距離Ｌｂであることから、媒体支持面７２に沿って排出されるシートＳＴに対して作用する先端縁ＳＦを支点とする回転トルク（モーメント力）は、媒体支持面５２に沿って排出される場合よりも大きくなる。従って、排出されたシートＳＴ部分を、先端縁ＳＦを支点として前方に回転させようとする力が大きくなるので、排出されたシートＳＴに対して被記録面ＳＰ側を凸面にして湾曲させるように作用する曲げ力（矢印Ｆ５）も大きくなる。
【００６０】
従って、この曲げ力の作用の結果、排出部１５から媒体支持面７２に沿って排出されるシートＳＴの後続部分によって湾曲部Ｒ７が前方に押し出されるようにシートＳＴにおける先端縁ＳＦに連なる部分が先端縁ＳＦを支点にして回転する。この回転の結果、シートＳＴは、図５（ｂ）に示すように、太い破線で示した形状から太い実線で示した形状に変位する。すなわち、湾曲部Ｒ７は前方に押し出されて湾曲部Ｒ７ａとして形成される。また、この回転によって、シートＳＴの先端縁ＳＦにおいてシートＳＴと媒体受け面８２とがなす接触角θが小さくなる。この結果、シートＳＴの先端縁ＳＦは媒体受け面８２に沿って規制部８４に向けて移動する状態となる（図中白抜き矢印Ｈ２）。
【００６１】
一方、湾曲部Ｒ７ａの形成に伴って、媒体支持面７２の下端７２ａの近傍には湾曲部Ｒ７ａと逆方向に曲がる湾曲部Ｒ８が発生する場合がある。なお、媒体支持面５２に比べて傾斜が緩い媒体支持面７２に沿ってシートＳＴが排出されるため、被記録面ＳＰ側を凹面にして湾曲させる曲げ力は小さく、従って、この逆方向の湾曲部Ｒ８は発生した場合でも大きな曲率半径になる。
【００６２】
この状態において、さらにシートＳＴが排出部１５から媒体支持面５２に沿って（図中白抜き矢印Ｈ１）排出されると、図５（ｃ）に示すように、シートＳＴは太い破線で示した形状から太い実線で示した形状に変位する。すなわち、シートＳＴの先端縁ＳＦが媒体受け面８２に沿って移動して規制部８４に当接した状態になる。この先端縁ＳＦの移動に伴って、湾曲部Ｒ７ａは曲率半径が大きい湾曲部Ｒ７ｂへ変化しながら後方へ移動するとともに湾曲部Ｒ８を湾曲方向が逆になるように曲げて湾曲部Ｒ８ａにする。また、媒体支持面７２の下端７２ａ近傍に、湾曲部Ｒ９が形成される。この結果、全体に被記録面ＳＰ側を凸面にした湾曲形状が形成される。そして、シートＳＴは排出方向先端側の所定の長さが排出部１５から排出された時点で切断され、被記録面ＳＰに施された記録範囲に応じたカットシートＣＳに切り分けられる。切り分けられたカットシートＣＳは、後端縁ＳＥが媒体支持面７２に沿って移動する（図中白抜き矢印Ｈ１）。
【００６３】
この結果、カットシートＣＳは、後端縁ＳＥが排出される時点で、ともに被記録面ＳＰ側を凸面にして湾曲する湾曲部Ｒ７ｂ，Ｒ８ａ，Ｒ９が形成された状態になる。従って、カットシートＣＳの後端縁ＳＥが媒体支持面７２の下端７２ａから離れて支持されない状態になると、カットシートＣＳの後端部分は、媒体支持面７２に沿って前方へ移動することによって、図中矢印Ｆ６で示したようにカットシートＣＳの後端部分は前方に移動する。この結果、剛性の低いシートＳＴは、被記録面ＳＰを下側にして、その後端部分の受け面である媒体受け面８３上に、また前端部分を媒体受け面８２上にそれぞれ排出される。
【００６４】
上記説明した実施形態によれば、以下の効果を得ることができる。
（１）媒体支持面の傾斜角を変更すると、媒体支持面に沿って排出されるシートＳＴの排出方向が変更される。すると、基端側が媒体支持面に支持されつつ先端側が排出部１５から突出した状態にある排出途中のシートＳＴに対して、そのシートＳＴを被記録面ＳＰと媒体受け面８２とが対向する状態に湾曲させるように作用する曲げ力を変更することができる。例えば、排出部１５からシートＳＴを排出させる媒体支持面の傾斜角を、傾斜角α（第１傾斜角）から傾斜角γ（第２傾斜角）に変更した場合には、シートＳＴの排出方向が水平方向に近づく方向に変更される。すると、排出部１５から排出途中のシートＳＴに対して湾曲させるように作用する曲げ力が大きくなる方向に変更される。その結果、そのように変更した曲げ力によってシートＳＴは被記録面ＳＰ側が凸面となるように確実に湾曲させられ、媒体受け面８２に接触したシートＳＴの排出方向の先端縁ＳＦと媒体受け面８２とがなす内角すなわち接触角θが容易に小さい角度である鋭角になる。これにより、排出方向の先端縁ＳＦが媒体受け面８２に接触したあとのシートＳＴは、その排出方向の先端縁ＳＦが媒体受け面８２に沿って移動するとともに被記録面ＳＰを媒体受け面８２に対向させた状態で媒体受け面８２上に適切に排出される。
【００６５】
（２）媒体受け面８２は媒体支持面５２，７２と反対方向に傾斜するので、排出部１５から排出されるシートＳＴは、その排出方向の先端縁ＳＦが媒体受け面８２に接触したあと、媒体受け面８２に沿って重力方向側の規制部８４に移動しやすくなる。この結果、被記録面ＳＰが媒体受け面８２と対向する状態つまりフェイスダウン状態で適切に媒体受け面８２上に排出される。
【００６６】
（３）傾斜角αの媒体支持面５２に沿って排出されたシートＳＴは、そのシートＳＴにおいて媒体受け面８２に接触する排出方向の先端縁ＳＦと媒体受け面８２とがなす内角すなわち接触角θが鋭角となるので、媒体受け面８２に接触したあとのシートＳＴの排出方向の先端縁ＳＦが媒体受け面８２に沿って容易に移動し易くなる。一方、傾斜角γの媒体支持面７２に沿って排出された後に媒体受け面８２に接触したシートＳＴに対しては、シートＳＴを被記録面ＳＰ側が凸面となるように湾曲させる力を作用させるので、シートＳＴは確実に湾曲して媒体受け面８２との接触角θが容易に小さな角度である鋭角となる。従って、媒体受け面８２に接触したあとシートＳＴの排出方向の先端縁ＳＦが媒体受け面８２に沿って重力方向側の規制部８４に移動しやすくなる。この結果、被記録面ＳＰが媒体受け面８２と対向する状態つまりフェイスダウン状態で確実に媒体受け面８２上に排出される。
【００６７】
（４）シートＳＴの曲げ剛性すなわち腰の強さが異なる各種のシートＳＴを、適切に媒体受け面８２上に排出できる。
（５）媒体支持面５２，７２の排出方向側端部となる下端５２ａ，７２ａと媒体受け面８２との間の重力方向に沿う距離はほぼ等しいので、傾斜角γの媒体支持面７２に沿って排出されるシートＳＴに対して、傾斜角αの媒体支持面５２に沿って排出されるシートＳＴよりも大きな曲げ力を作用させることができる。
【００６８】
（６）被記録面ＳＰに記録が施されたシートＳＴの排出方向を変更することによって媒体受け面８２に接触したシートＳＴに対して当該シートＳＴを被記録面ＳＰと媒体受け面８２とが対向する状態に湾曲させるように作用する曲げ力を変更することができる。そして変更した曲げ力によってシートＳＴを確実に被記録面ＳＰ側が凸面となるように湾曲させ、媒体受け面８２に接触したシートＳＴの排出方向の先端縁ＳＦと媒体受け面８２とがなす内角すなわち接触角θを鋭角にすることができる。この結果、媒体受け面８２に接触したあとのシートＳＴが、その排出方向の先端縁ＳＦが媒体受け面８２に沿って移動して被記録面ＳＰを媒体受け面８２に対向させた状態で適切に媒体受け面８２上に排出される記録装置１１を提供できる。
【００６９】
なお、上記実施形態は、以下のような別の実施形態に変更してもよい。
・上記実施形態において、媒体支持面変更手段１７は、支持面形成部材５２ｍを変位させて媒体支持面５２の傾斜角αを変更することによって、媒体支持面５２を媒体支持面７２として機能させる構成であってもよい。本変形例について図６を参照して説明する。
【００７０】
図６に示すように、本変形例の媒体支持面変更手段１７は、媒体支持面５２が形成された支持面形成部材５２ｍを回転させることを通じて、媒体支持面５２を媒体支持面７２に変更する。すなわち、支持面形成部材５２ｍは、その排出方向上流側の端部に、シートＳＴの幅方向（左右方向）が軸線方向であって装置本体部１２に軸の両端が回動可能に取り付けられた回転軸５６を有する回転部５５が設けられている。そして、媒体支持面変更手段１７は、この回転部５５を回転させる回転手段として、支持面形成部材５２ｍに固定され、外周に歯車が形成された円弧形状のラック５７と、装置本体部１２に回転自在に固定され、ラック５７と噛み合うピニオン５８と、を備えている。従って、使用者は、ピニオン５８を回転させることによって回転軸５６を中心に回転部５５を回転させることによって支持面形成部材５２ｍを回転させ、例えば、媒体支持面５２を図中二点鎖線で示した媒体支持面５２の位置に変更する。これによって、媒体支持面５２は上記実施形態における媒体支持面７２として機能する。
【００７１】
本変形例によれば、上記実施形態における効果（１）〜（６）に加えて、次の効果を奏する。
（７）媒体支持面５２の傾斜角を支持面形成部材５２ｍの回転変位によって連続的に変更することができるので、排出部１５から排出されるシートＳＴの排出方向を、シートＳＴの剛性に応じて最適な方向とすることができる。また、媒体支持面７２を形成する部材の増加を抑制することができる。
【００７２】
・上記実施形態において、被記録媒体排出装置１００は、媒体支持面５２と媒体支持面７２以外に少なくとも一つ、水平からの傾斜角の異なる媒体支持面を備え、媒体支持面変更手段１７は、これらの媒体支持面間で変更するようにしてもよい。こうすれば、剛性の異なる複数のシートＳＴに応じて排出部１５から適切な排出方向でシートＳＴを排出させ、被記録面を媒体受け面に対向させた状態で媒体受け部１８上に適切な状態でカットシートＣＳを排出させてスタックすることができる。
【００７３】
・上記実施形態において、媒体支持面７２の下端７２ａと媒体受け面８２との間の鉛直方向に沿う距離Ｌｂは、媒体支持面５２の下端５２ａと媒体受け面８２との間の鉛直方向に沿う距離Ｌａよりも大きいことが好ましい。こうすれば、媒体支持面７２に沿って排出されるシートＳＴに対して、媒体支持面５２に沿って排出されるシートＳＴよりも、先端縁ＳＦを支点として回転させる回転トルクを大きくすることができる。従って、被記録面ＳＰと媒体受け面８２とが対向する状態にシートＳＴを湾曲させるように作用する曲げ力を確実に発生させることができる。
【００７４】
・上記実施形態において、媒体受け面８２は水平であってもよい。要するに、シートＳＴが排出方向の先端縁ＳＦを媒体受け面８２に接触させた状態を維持しながら、被記録面ＳＰ側を凸面にして湾曲することが可能な角度であれば、必ずしも媒体受け面８２は傾斜していなくてもよい。
【００７５】
・上記実施形態において、媒体支持面５２の傾斜角αと媒体受け面８２の傾斜角βとを加算した角度は、９０度よりも小さい角度であってもよい。媒体受け面８２に接触した状態を維持しながら、被記録面ＳＰを外側にして湾曲することが可能な角度であれば、必ずしも９０度以上に限定されない。
【００７６】
・上記実施形態において、被記録媒体排出装置１００は必ずしも記録部１４を有する記録装置１１に備えられなくてもよい。例えば既に被記録面に記録が施されたシートを、被記録面を重力方向側にして受ける被記録媒体排出装置であれば本発明を適用可能である。
【００７７】
・上記実施形態では、記録装置を、液体の一例としてのインクを噴射する液体噴射ヘッドを記録ヘッドとして有する記録装置１１に具体化したが、インク以外の他の液体を噴射したり吐出したりする液体噴射装置に具体化してもよい。微小量の液滴を吐出させる液体噴射ヘッド等を備える各種の液体噴射装置に流用可能である。なお、液滴とは、上記液体噴射装置から吐出される液体の状態をいい、粒状、涙状、糸状に尾を引くものも含むものとする。また、ここでいう液体とは、液体噴射装置が噴射させることができるような材料であればよい。例えば、物質が液相であるときの状態のものであればよく、粘性の高い又は低い液状体、ゾル、ゲル水、その他の無機溶剤、有機溶剤、溶液、液状樹脂、液状金属（金属融液）のような流状体、また物質の一状態としての液体のみならず、顔料や金属粒子などの固形物からなる機能材料の粒子が溶媒に溶解、分散又は混合されたものなどを含む。また、液体の代表的な例としては上記実施形態で説明したようなインクや液晶等が挙げられる。ここで、インクとは一般的な水性インク及び油性インク並びにジェルインク、ホットメルトインク等の各種液体組成物を包含するものとする。液体噴射装置の具体例としては、例えば液晶ディスプレイ、ＥＬ（エレクトロルミネッセンス）ディスプレイ、面発光ディスプレイ、カラーフィルターの製造などに用いられる電極材や色材などの材料を分散又は溶解のかたちで含む液体を噴射する液体噴射装置がある。あるいは、バイオチップ製造に用いられる生体有機物を噴射する液体噴射装置、精密ピペットとして用いられ試料となる液体を噴射する液体噴射装置、捺染装置やマイクロディスペンサー等であってもよい。さらに、時計やカメラ等の精密機械にピンポイントで潤滑油を噴射する液体噴射装置、光通信素子等に用いられる微小半球レンズ（光学レンズ）などを形成するために紫外線硬化樹脂等の透明樹脂液を基板上に噴射する液体噴射装置、基板などをエッチングするために酸又はアルカリ等のエッチング液を噴射する液体噴射装置を採用してもよい。そして、これらのうちいずれか一種の液体噴射装置に本発明を適用することができる。
【符号の説明】
【００７８】
１１…記録装置、１４…記録部、１５…媒体排出部としての排出部、１７…媒体支持面変更手段、１８…媒体受け部、５１，５２，７２…媒体支持面、８２，８３…媒体受け面、１００…被記録媒体排出装置、ＣＳ…被記録媒体としてのカットシート、ＳＦ…先端縁、ＳＴ…被記録媒体としてのシート、ＳＰ…被記録面、Ｌａ，Ｌｂ…距離、α…傾斜角（第１傾斜角）、β…傾斜角（第３傾斜角）、γ…傾斜角（第２傾斜角）。
【図１】
2013071822.tif 000003
【図２】
2013071822.tif 000004
【図３】
2013071822.tif 000005
【図４】
2013071822.tif 000006
【図５】
2013071822.tif 000007
【図６】
2013071822.tif 000008